(57)【特許請求の範囲】
【請求項１】
カバレッジ外（ＯｏＣ）のデバイス間（Ｄ２Ｄ）ユーザ機器（ＵＥ）装置において実行される方法であって、
Ｄ２Ｄ同期信号（Ｄ２ＤＳＳ）をカバレッジ内（ＩｎＣ）ＵＥ装置から受信する工程であって、前記Ｄ２ＤＳＳは、ｅＮＢから直接取得したタイミング情報に基づき、プライマリ同期信号（ＰＳＳ）及びセカンダリ同期信号（ＳＳＳ）のうち少なくとも一方に基づく、工程と、
前記ＩｎＣ  ＵＥ装置からＤ２Ｄディスカバリリソースプール情報メッセージを受信する工程であって、前記Ｄ２Ｄディスカバリリソースプール情報メッセージは、Ｄ２Ｄディスカバリ信号の送信のために承認された通信リソースのセットを特定し、前記通信リソースのセットは、前記ｅＮＢからの前記ＩｎＣ  ＵＥ装置で受信したｅＮＢディスカバリリソースプールメッセージにおいて特定される、工程と、
前記通信リソースのセットから選択された通信リソースを選択する工程と、
前記Ｄ２ＤＳＳから導出されたタイミングを使用して、前記選択された通信リソースによってＤ２Ｄディスカバリ信号を送信することと、を含む方法。
【請求項２】
前記Ｄ２ＤＳＳは、プライマリサイドリンク同期信号（ＰＳＳＳ）及びセカンダリサイドリンク同期信号（ＳＳＳＳ）を含み、前記ＰＳＳＳとＳＳＳＳは、第３世代パートナシッププロジェクト・ロング・ターム・エボリューション（３ＧＰＰ  ＬＴＥ）通信仕様の少なくとも１つの改定版に従って送信される、請求項１に記載の方法。
【請求項３】
前記Ｄ２Ｄディスカバリリソースプール情報メッセージを受信する工程は、前記３ＧＰＰ  ＬＴＥ通信仕様の少なくとも１つの改定版に従って、物理サイドリンクブロードキャストチャネル（ＰＳＢＣＨ）内にある、マスターインフォメーションブロック‐サイドリンク（ＭＩＢ−ＳＬ）内の前記Ｄ２Ｄディスカバリリソースプール情報メッセージを受信する工程を含む、請求項２に記載の方法。
【請求項４】
前記ＭＩＢ−ＳＬは、前記ＩｎＣ  ＵＥ装置が前記ｅＮＢのカバレッジエリア内に存在するということを示すカバレッジ内インジケータを含む、請求項３に記載の方法。
【請求項５】
前記Ｄ２Ｄディスカバリリソースプール情報メッセージを受信する工程は、前記３ＧＰＰ  ＬＴＥ通信仕様の少なくとも１つの改定版に従って送信されたＤ２Ｄデータチャンネル内の前記Ｄ２Ｄディスカバリリソースプール情報メッセージを受信する工程を含む、請求項２に記載の方法。
【請求項６】
他のＤ２ＤＳＳを送信する工程であって、前記他のＤ２ＤＳＳは、前記ＩｎＣ  ＵＥ装置から受信した前記Ｄ２ＤＳＳから取得したタイミング情報に基づく、工程と、
前記通信リソースのセットを特定する他のＤ２Ｄディスカバリリソースプール情報メッセージを送信する工程とを、更に含む、請求項１に記載の方法。
【請求項７】
前記他のＤ２Ｄディスカバリリソースプール情報メッセージを送信する工程は、３ＧＰＰ  ＬＴＥ通信仕様の少なくとも１つの改定版に従って、物理サイドリンクブロードキャストチャネル（ＰＳＢＣＨ）内にある他のＭＩＢ−ＳＬにおいて、前記他のＤ２Ｄディスカバリリソースプール情報メッセージを送信する工程を含む、請求項６に記載の方法。
【請求項８】
前記他のＭＩＢ−ＳＬは、前記ＯｏＣのＤ２Ｄ  ＵＥ装置がｅＮＢのカバレッジエリア内に一切存在しないことを示す他のカバレッジ内フラグを含む、請求項７に記載の方法。
【請求項９】
デバイス間（Ｄ２Ｄ）ユーザ機器（ＵＥ）装置であって、
前記Ｄ２Ｄ  ＵＥ装置がカバレッジ外にある間、カバレッジ内（ＩｎＣ）ＵＥ装置からＤ２Ｄ同期信号（Ｄ２ＤＳＳ）を受信することであって、前記Ｄ２ＤＳＳは、ｅＮＢから直接取得したタイミング情報に基づき、プライマリ同期信号（ＰＳＳ）及びセカンダリ同期信号（ＳＳＳ）のうち少なくとも一方に基づく、ことと、
Ｄ２Ｄディスカバリリソースプール情報メッセージを前記ＩｎＣ  ＵＥ装置から受信することであって、前記Ｄ２Ｄディスカバリリソースプール情報メッセージは、Ｄ２Ｄディスカバリ信号の送信のために承認された通信リソースのセットを特定し、前記通信リソースのセットは、前記ｅＮＢからの前記ＩｎＣ  ＵＥ装置で受信したｅＮＢディスカバリリソースプールメッセージにおいて特定される、ことと、を行うように構成された受信部と、
前記Ｄ２ＤＳＳから導出されたタイミングを使用して、選択された通信リソースによってＤ２Ｄディスカバリ信号を送信するように構成された送信部であって、前記選択された通信リソースは、前記通信リソースのセットから選択される、送信部と、を備える、Ｄ２Ｄ  ＵＥ装置。
【請求項１０】
前記Ｄ２ＤＳＳは、プライマリサイドリンク同期信号（ＰＳＳＳ）及びセカンダリサイドリンク同期信号（ＳＳＳＳ）を含み、前記ＰＳＳＳ及びＳＳＳＳは、第３世代パートナシッププロジェクト・ロング・ターム・エボリューション（３ＧＰＰ  ＬＴＥ）通信仕様の少なくとも１つの改定版に従って送信される、請求項９に記載のＤ２Ｄ  ＵＥ装置。
【請求項１１】
前記受信部は、３ＧＰＰ  ＬＴＥ通信仕様の少なくとも１つの改定版に従って、物理サイドリンクブロードキャストチャネル（ＰＳＢＣＨ）内にあるマスターインフォメーションブロック‐サイドリンク（ＭＩＢ−ＳＬ）内の前記Ｄ２Ｄディスカバリリソースプール情報メッセージを受信することによって、前記Ｄ２Ｄディスカバリリソースプール情報メッセージを受信するように構成されている、請求項１０に記載のＤ２Ｄ  ＵＥ装置。
【請求項１２】
前記ＭＩＢ−ＳＬは、前記ＩｎＣ  ＵＥ装置が前記ｅＮＢのカバレッジエリア内にあることを示すカバレッジ内フラグを含む、請求項１１に記載のＤ２Ｄ  ＵＥ装置。
【請求項１３】
前記受信部は、前記３ＧＰＰ  ＬＴＥ通信仕様の少なくとも１つの改定版に従って、Ｄ２Ｄデータチャンネル内の前記Ｄ２Ｄディスカバリリソースプール情報メッセージを受信することによって、前記Ｄ２Ｄディスカバリリソースプール情報メッセージを受信するように構成されている、請求項１０に記載のＤ２Ｄ  ＵＥ装置。
【請求項１４】
前記送信部は、
他のＤ２ＤＳＳを送信することであって、前記他のＤ２ＤＳＳは、前記ＩｎＣ  ＵＥ装置から受信した前記Ｄ２ＤＳＳから取得したタイミング情報に基づく、ことと、
前記通信リソースのセットを特定する他のＤ２Ｄディスカバリリソースプール情報メッセージを送信することと、を行うように、更に構成されている、請求項９に記載のＤ２Ｄ  ＵＥ装置。
【請求項１５】
前記送信部は、３ＧＰＰ  ＬＴＥ通信仕様の少なくとも１つの改定版に従って、物理サイドリンクブロードキャストチャネル（ＰＳＢＣＨ）内にある他のＭＩＢ−ＳＬにおいて、前記他のＤ２Ｄディスカバリリソースプール情報メッセージを送信することによって、前記他のＤ２Ｄディスカバリリソースプール情報メッセージを送信するように構成されている、請求項１４に記載のＤ２Ｄ  ＵＥ装置。
【請求項１６】
前記他のＭＩＢ−ＳＬは、カバレッジ外（ＯｏＣ）のＤ２Ｄ  ＵＥ装置がｅＮＢのカバレッジエリア内に一切存在しないことを示す他のカバレッジ内フラグを含む、請求項１５に記載のＤ２Ｄ  ＵＥ装置。
【発明の詳細な説明】
【優先権の主張】
【０００１】
本願は、本明細書の譲受人に譲渡され、本明細書によってその全体が参照により明示的に援用されている、２０１５年４月１０日に出願された、発明の名称が「Ｓｙｓｔｅｍ，  Ｍｅｔｈｏｄ，  ａｎｄ  Ｄｅｖｉｃｅ  Ｆｏｒ  Ｂｒｏａｄｃａｓｔｉｎｇ  Ｔｈｅ  Ｄｉｓｃｏｖｅｒｙ  Ｒｅｓｏｕｒｃｅ  Ｐｏｏｌ  Ｉｎｆｏｒｍａｔｉｏｎ  Ｒｅｃｅｉｖｅｄ  ｆｒｏｍ  ｔｈｅ  Ｓｅｒｖｉｎｇ−Ｃｅｌｌ  ｅＮＢ  ＳＩＢ−１９」である仮特許出願第６２／１４５，９１６号に対する優先権を主張するものである。
【技術分野】
【０００２】
本発明は、概ね、無線通信に関し、より具体的には、デバイス間（Ｄ２Ｄ）同期信号の送信のためのリソースの管理に関する。
【背景技術】
【０００３】
多くの無線通信システムは、ｅＮＢ（基地局、ｅＮｏｄｅＢ、ｅＮＢ）を使用して、無線通信ユーザ機器装置（ＵＥ装置）が、ＵＥ装置が位置する特定の地理的サービスエリアを提供しているｅＮＢと通信する地理的サービスエリアを提供している。ｅＮＢは、無線通信装置と他の装置との間で通信リンクを形成することができるネットワーク内で接続されている。場合によっては、通信リンクは、互いに近接する無線通信ＵＥ装置間に形成される。このような場合、基地局を介して通信するのではなく、２つの無線ＵＥデバイス間で直接通信リンクを有することが好ましい場合がある。デバイス間のそのような直接的な通信は、デバイス間（Ｄ２Ｄ）通信又はピアツーピア（Ｐ２Ｐ）通信と称される場合が多い。Ｄ２Ｄ通信のために使用される通信リソース（例えば、時間-周波数ブロック）は、典型的には、ＵＥ装置とｅＮＢとの間の通信のための通信システムにより使用される通信リソースのサブセットである。
【０００４】
カバレッジ内ＵＥ装置（ＩｎＣ  ＵＥ装置）は、ｅＮＢのサービスエリア内にあり、ｅＮＢと通信可能であるＵＥ装置である。カバレッジ外ＵＥ装置（ＯｏＣ  ＵＥ装置）は、ｅＮＢのサービスエリア内に一切存在しないＵＥ装置である。互いにＤ２Ｄ通信に関与しているＤ２Ｄ  ＵＥ装置は、Ｄ２Ｄグループを形成する。したがって、Ｄ２Ｄグループは、２つ以上のＤ２Ｄ  ＵＥ装置を含む。Ｄ２Ｄグループにより生じ得る複数のカバレッジのシナリオが存在する。ＩｎＣカバレッジのシナリオでは、Ｄ２Ｄグループの全てのＵＥ装置が、単一のｅＮＢのサービスエリア内に位置する。したがって、ＩｎＣのシナリオに関して、Ｄ２Ｄグループの全てのＤ２Ｄ  ＵＥ装置が、単一のサービスエリア内のＩｎＣ  ＵＥ装置である。ＯｏＣのカバレッジのシナリオでは、Ｄ２ＤグループのどのＵＥ装置も、ｅＮＢのサービスエリア内に一切位置しない。したがって、かかるシナリオに関して、Ｄ２Ｄグループの全てのＤ２Ｄ  ＵＥ装置が、ＯｏＣ  ＵＥ装置である。部分的カバレッジのシナリオでは、Ｄ２ＤグループのＵＥ装置のうち少なくとも１つが、単一のｅＮＢのサービスエリア内に位置し、グループのうち少なくとも１つのＤ２Ｄ  ＵＥ装置が、全てのサービスエリア外に存在する。したがって、部分的カバレッジのシナリオに関して、Ｄ２ＤグループのＤ２Ｄ  ＵＥ装置のうち少なくとも１つが、単一のサービスエリア内のＩｎＣ  ＵＥ装置であり、少なくとも１つのＵＥ装置が、ＯｏＣ  ＵＥ装置である。他のカバレッジのシナリオも可能である。
【０００５】
Ｄ２Ｄグループ内通信の同期を維持するために、典型的には、グループ内のＵＥ装置によって同期信号が受信される。状況によっては、同期信号は、ｅＮＢによって送信される。かような状況は、全てのＤ２Ｄ  ＵＥ装置がカバレッジ内にある場合に生じる。状況によっては、Ｄ２Ｄ同期信号（Ｄ２Ｄ）は、同期を維持するために、Ｄ２Ｄグループ内のＤ２Ｄ  ＵＥ装置のうち１つ又は２つ以上によって送信される。Ｄ２ＤＳＳを送信可能なＤ２Ｄ  ＵＥ装置が存在する場合、Ｄ２ＤＳＳは、ｅＮＢから直接取得したシステムのタイミングに基づいている。しかしながら、状況によっては、ＵＥ装置は、ｅＮＢからタイミング情報を直接取得することができず、Ｄ２ＤＳＳは、ｅＮＢから直接取得したタイミングに基づかない場合がある。３ＧＰＰ  ＬＴＥの改定版は、Ｄ２ＤＳＳがｅＮＢから直接取得したタイミングに基づくかどうかを示すための仕組みを提案している。
【発明の概要】
【０００６】
カバレッジ内（ＩｎＣ）ユーザ機器（ＵＥ）装置は、デバイス間同期信号（Ｄ２ＤＳＳ）及びデバイス間（Ｄ２Ｄ）ディスカバリリソースプール情報メッセージをカバレッジ外（ＯｏＣ）のＵＥ装置に送信する。Ｄ２ＤＳＳは、ｅＮＢから直接取得したタイミング情報に基づき、プライマリ同期信号（ＰＳＳ）及びセカンダリ同期信号（ＳＳＳ）のうち少なくとも一方に基づいている。Ｄ２Ｄディスカバリリソースプール情報メッセージは、Ｄ２Ｄディスカバリ信号の送信に関し承認された通信リソースのセットを特定し、該リソースのセットは、ｅＮＢからのＩｎＣ  ＵＥ装置で受信したｅＮＢディスカバリリソースプールメッセージにおいて特定される。ＯｏＣ  ＵＥ装置は、通信リソースのセットから通信リソースを選択して、ディスカバリ信号を送信する。
【図面の簡単な説明】
【０００７】
【図１】マクロセル通信リソースがデバイス間（Ｄ２Ｄ）通信のために使用される通信システム１００の図である。
【０００８】
【図２】通信システム１００の一例のブロック図であり、Ｄ２Ｄディスカバリリソースプール情報が、３ＧＰＰ  ＬＴＥ通信仕様の少なくとも１つの改定版に従って、物理サイドリンクブロードキャストチャネル（ＰＳＢＣＨ）内にあるマスターインフォメーションブロック‐サイドリンク（ＭＩＢ−ＳＬ）を使用して、ＩｎＣ  Ｄ２Ｄ  ＵＥ装置２０２によって送信される。
【０００９】
【図３】ＵＥ装置としての使用に好適なユーザ機器（ＵＥ）装置のブロック図である。
【００１０】
【図４】ＯｏＣ  Ｄ２Ｄ  ＵＥ装置において実行されるＤ２ＤＳＳ送信を管理する方法のフローチャートである。
【発明を実施するための形態】
【００１１】
Ｄ２Ｄ  ＵＥ装置は、他のＤ２Ｄ  ＵＥ装置が潜在的なＤ２Ｄの通信相手を特定することを可能にするディスカバリ信号を送信する。本明細書における例として、Ｄ２Ｄディスカバリ信号は、通信システムによるＤ２Ｄディスカバリ送信のために割り当てられたＤ２Ｄディスカバリ通信リソースを使用して送られる。後述のように、ｅＮＢは、ｅＮＢディスカバリリソースプールメッセージにおいて、Ｄ２Ｄ通信リソースのセットを特定する。しかしながら、唯一ＩｎＣ  ＵＥ装置だけがメッセージを受信できるので、Ｄ２Ｄディスカバリ信号の送信のために割り当てられた通信リソースのセットを、ＯｏＣ  ＵＥ装置に通知する仕組みが必要とされている。本明細書における例として、セルの境界付近のＩｎＣ  ＵＥ装置は、Ｄ２Ｄディスカバリ信号の送信のために承認された通信リソースのセットを特定するＤ２Ｄディスカバリリソースプールメッセージを送信する。
【００１２】
図１は、マクロセル通信リソースがデバイス間（Ｄ２Ｄ）通信のために使用される通信システム１００の図である。ｅＮＢ（基地局、ｅＮｏｄｅＢ、ｅＮＢ）１０２は、「セル」と称される場合がある地理的サービスエリア１１０内の無線通信ＵＥ装置１０４、１０６、１０８に無線通信サービスを提供する。複数のｅＮＢは、典型的には、バックホールを介して相互に接続されて、複数のサービスエリアを提供して、広域をカバーしている。通信システム１００を参照して説明されるブロックの多様な機能及び動作は、任意の数の装置、回路、又は要素において実行されてもよい。機能ブロックのうち２つ以上が１つの装置に統合されてもよく、任意の１つの装置において実行されるように記載されている機能は、複数の装置に亘って実行されてもよい。例えば、制御部１１２の機能のうち少なくとも一部は、ｅＮＢ１０２により実行されてもよく、その逆でもよい。セルラ通信システムは、典型的には、通信規格又は通信仕様に従う必要がある。第３世代パートナシッププロジェクト・ロング・ターム・エボリューション（３ＧＰＰ  ＬＴＥ）の通信仕様は、下りリンクに対する直交周波数分割多元接続方式（ＯＦＤＭＡ）及び上りリンクに対するシングルキャリア周波数分割多元接続方式（ＳＣ−ＦＤＭＡ）を使用して、基地局（ｅＮｏｄｅＢ）がサービスを無線通信装置（ユーザ機器（ＵＥ）装置）に提供するシステムのための仕様である。本明細書に記載される技術は、他のタイプの通信システムに適用可能ではあるが、本明細書で検討される例示的なシステムは、３ＧＰＰ  ＬＴＥ通信仕様に従って動作する。
【００１３】
ｅＮＢ１０２は、基地局、ｅｖｏｌｖｅｄ  Ｎｏｄｅ  Ｂ、又はｅＮｏｄｅＢと称される場合がある固定型の送受信機局であり、状況によっては、制御部を備えることができる。ｅＮＢ１０２は、有線通信、光通信、及び／又は無線通信チャネルの任意の組み合わせを備えてもよいバックホールを介して、ネットワーク１１３内の制御部１１２に接続されている。本明細書における例として、制御部１１２は、Ｍｏｂｉｌｉｔｙ  Ｍａｎａｇｅｍｅｎｔ  Ｅｎｔｉｔｙ（ＭＭＥ）及びＰａｃｋｅｔ  Ｇａｔｅｗａｙ（Ｐ−ＧＷ）の機能性を備えている。よって、制御部１１２は、スケジューラ１１４を備える。本例では、スケジューラ１１４は、無線通信装置１０４、１０６、１０８、１０９間の通信用並びに基地局１０２と無線通信装置１０４、１０６、１０８、１０９との間の通信用の時間−周波数リソースを割り当てる。地理的サービスエリア１１０外のＵＥ通信装置１１６、１１７、１１８、１１９は、装置１１６、１１７、１１８、１１９がサービスエリア１１０内に存在する場合、ｅＮＢ１０２から無線サービスを受信することができる。しかしながら、装置１１６、１１７、１１８、１１９がｅＮＢ１０２の範囲外に存在するので、タイミング情報をｅＮＢ１０２から直接受信することができない。
【００１４】
無線（ＵＥ）通信装置１０４、１０６、１０８、１１６、１１７、１１８、１１９（一括して、ＵＥ装置１２０）は、モバイル装置、無線装置、無線通信装置、及びモバイル無線装置、ＵＥ及びＵＥ装置、並びにそれ以外の名称で称される場合がある。ＵＥ装置１２０は、デバイス間構成において基地局及び他の無線通信装置と通信するための電子部品及びコードを備えている。無線通信装置は、携帯電話、パーソナルデジタルアシスタント（ＰＤＡ）、無線モデムカード、無線モデム、無線通信用電子部品を有するテレビ、並びにラップトップ及びデスクトップ型のコンピュータ、加えて他の装置などの装置を備える。したがって、無線通信電子部品を電子装置と組み合わせることにより、ＵＥ装置１２０を形成することができる。例えば、ＵＥ装置１２０は、電化製品、コンピュータ、テレビ、又は他の装置に接続された無線モデムを備えてもよい。
【００１５】
ｅＮＢ１０２は、サービスエリア１１０内のＵＥ装置１０４、１０６、１０８、１０９と無線信号を送受信することができる無線送受信部を備える。基地局及びＵＥ装置１０４、１０６、１０８、１０９からの送信は、送信のシグナリング、プロトコル、及びパラメータを定義する通信仕様により定められる。通信仕様は、通信のための厳格な規則を提供し、また、具体的な実施は異なるが通信仕様を遵守している一般的な要件を提供することができる。以下の検討は、３ＧＰＰロング・ターム・エボリューション（ＬＴＥ）通信仕様を対象にしているが、状況によっては、他の通信仕様を使用してもよい。通信仕様では、少なくとも、上りリンク及び下りリンクの送信用のデータチャネル及び制御チャネルが定義され、基地局からＵＥ装置１２０への物理下りリンク制御チャネル用の少なくとも一部のタイミング及び周波数パラメータが特定されている。ＵＥ装置に提供されたシステムタイミング情報により、通信の同期が可能になる。
【００１６】
上記のように、状況によっては、２つ以上のＵＥ装置は、基地局を介した通信を用いることなく、互いに直接的に通信することができる。そのようなデバイス間（Ｄ２Ｄ）通信は、基地局のサービスエリア内又はサービスエリア外のＵＥ装置間で生じ得る。本明細書で説明される例として、第１のＤ２Ｄグループ１２２内のカバレッジ内（ＩｎＣ）Ｄ２Ｄ  ＵＥ装置１０６、１０８は、サービスエリア１１０内に存在し、Ｄ２Ｄ通信を使用して、互いに通信している。第２のＤ２Ｄグループ１２４内のカバレッジ外（ＯｏＣ）Ｄ２Ｄ  ＵＥ装置１１６、１１８は、サービスエリア１１０外に存在し、Ｄ２Ｄ通信を使用して、互いに通信している。部分的カバレッジのシナリオでは、Ｄ２ＤグループのＤ２Ｄ  ＵＥ装置のうち少なくとも１つは、単一のｅＮＢのサービスエリア内に位置し、グループの少なくとも１つのＤ２Ｄ  ＵＥ装置は、全てのサービスエリア外に存在する。したがって、部分的カバレッジのシナリオでは、Ｄ２ＤグループのＤ２Ｄ  ＵＥ装置のうち少なくとも１つは、単一のサービスエリア内のＩｎＣ  ＵＥ装置であり、少なくとも１つのＵＥ装置は、ＯｏＣ  ＵＥ装置である。図１における部分的カバレッジＤ２Ｄグループ１２６は、ＩｎＣ  Ｄ２Ｄ  ＵＥ装置１０９、第１のＯｏＣ  Ｄ２Ｄ  ＵＥ装置１１７及び第２のＯｏＣ  Ｄ２Ｄ  ＵＥ装置１１９を含む。
【００１７】
典型的には、Ｄ２Ｄ同期信号（Ｄ２ＤＳＳ）は、同期を維持するために、Ｄ２Ｄグループ内のＤ２Ｄ  ＵＥ装置のうち１つによって送信される。送信可能なＤ２Ｄ  ＵＥ装置が存在する場合、Ｄ２ＤＳＳは、ｅＮＢから直接取得したシステムのタイミングに基づいている。しかしながら、状況によっては、ＵＥ装置は、ｅＮＢからタイミング情報を直接取得することができず、Ｄ２ＤＳＳは、ｅＮＢから直接取得したタイミングに基づかない場合がある。（Ｒｅｌｅａｓｅ−１２などの）３ＧＰＰ  ＬＴＥ仕様に従って動作するシステムでは、Ｄ２Ｄのタイミング情報は、Ｄ２ＤＳＳシグナリングを使用して提供される。既知のように、Ｄ２ＤＳＳは、下りリンクリソースで基地局からＵＥ装置へ送信されるプライマリ同期信号／セカンダリ同期信号（ＰＳＳ／ＳＳＳ）チャネルに類似している。しかしながら、Ｄ２ＤＳＳ信号は、Ｄ２Ｄ通信が上りリンク通信リソースを利用しているため、ＳＣ−ＦＤＭＡを使用して送信される。ＵＥ装置は、Ｄ２ＤＳＳを使用して、フレーム及びサブフレームの境界を判定し、それにより、タイミング情報を判定する。Ｄ２ＤＳＳリソースは、全てのＤ２Ｄデータに対して利用可能であり、チャネル送信を制御する。Ｄ２Ｄ  ＵＥ装置は、基地局により設定されたとおり、Ｄ２ＤＳＳを送信するための利用可能なリソースを有しているが、Ｄ２Ｄグループ内のＤ２Ｄ  ＵＥ装置のうち少なくとも一部がＤ２ＤＳＳ（つまり、タイミング情報）を送信しない状態もあり得る。例えば、Ｄ２ＤグループがＩｎＣシナリオである場合、Ｄ２Ｄグループ内の全てのＤ２Ｄ  ＵＥ装置が、ＰＳＳ／ＳＳＳを受信しており、タイミング情報を基地局から導出している。その結果、グループ内でＤ２ＤＳＳを送信する必要がない。
【００１８】
ＯｏＣシナリオでは、どのＵＥ装置もＰＳＳ／ＳＳＳを基地局から受信していないので、Ｄ２Ｄのタイミングは、システムのタイミングから直接導出できない。グループ内の少なくとも１つのＤ２Ｄ  ＵＥ装置が、Ｄ２ＤＳＳを送信する。
【００１９】
部分的カバレッジのシナリオに関して、Ｄ２Ｄのタイミングは、ネットワークに接続されたｅＮＢからタイミングを導出するＤ２Ｄ  ＵＥ装置によって提供される。より具体的には、カバレッジ内のＵＥ装置のうち少なくとも１つが、ＰＳＳ／ＳＳＳを介して導出されたシステムのタイミングに基づいてＤ２ＤＳＳを移送する。
【００２０】
本明細書における例として、セルの境界付近のＯｏＣ  Ｄ２Ｄ  ＵＥ装置１１７、１１９は、セルの境界付近のＩｎＣ  ＵＥ装置１０９からＤ２ＤＳＳ及びＤ２Ｄディスカバリリソースプール情報を受信する。Ｄ２ＤＳＳ及びＤ２Ｄディスカバリリソースプール情報は、同一のＩｎＣ  ＵＥ装置から受信してもよく、又は異なるＩｎＣ  ＵＥ装置から受信してもよい。部分的カバレッジのシナリオの間、ｅＮＢ１０２は、Ｄ２Ｄディスカバリ信号を送信するために、Ｄ２Ｄ  ＵＥが使用することができるリソースのセットを特定するＤ２Ｄディスカバリリソースプール情報メッセージ１２８を送信し、情報１２８を受信したＩｎＣ  Ｄ２Ｄ  ＵＥ装置１０９は、他のＤ２Ｄディスカバリリソースプール情報メッセージ１３０において該情報を送信する。ＯｏＣ  Ｄ２Ｄ  ＵＥ装置１１７、１１９は、情報１３０を受信し、ＯｏＣ  Ｄ２Ｄ  ＵＥ装置１１７、１１９自身のディスカバリ信号を送信するために、特定されたリソースのプールから通信リソースを選択する。
【００２１】
図２は、通信システム１００の一例のブロック図であり、Ｄ２Ｄディスカバリリソースプール情報が、３ＧＰＰ  ＬＴＥ通信仕様の少なくとも１つの改定版に従って、物理サイドリンクブロードキャストチャネル（ＰＳＢＣＨ）内にあるマスターインフォメーションブロック‐サイドリンク（ＭＩＢ−ＳＬ）を使用して、ＩｎＣ  Ｄ２Ｄ  ＵＥ装置２０２によって送信される。したがって、図２は、図１におけるＤ２Ｄディスカバリリソースプール情報メッセージ１３０の送信の一例を示す図である。
【００２２】
ｅＮＢ１０２は、ｅＮＢのサービスエリア内で、ＵＥ装置に、Ｄ２Ｄディスカバリリソースプール情報メッセージ１２８において、Ｄ２Ｄディスカバリリソースプール情報２０４を送信し、システムタイミング情報２０６を送信する。本明細書における例として、３ＧＰＰ  ＬＴＥ通信仕様の少なくとも１つの改定版に従って、Ｄ２Ｄディスカバリリソースプール情報２０４は、システム情報ブロックタイプ１９（ＳＩＢ−１９）の送信１２８内にあり、  システムタイミング情報２０６は、プライマリ同期信号（ＰＳＳ）及びセカンダリ同期信号（ＳＳＳ）（ＰＳＳ／ＳＳＳ）２０８によって提供される。
【００２３】
セルの境界内にあるＩｎＣ  Ｄ２Ｄ  ＵＥ装置２０２は、送信１２８及び２０８を受信し、システムのタイミング２０６及びＤ２Ｄディスカバリリソースプール情報２０４を含む他のメッセージ１３０を送信する。Ｄ２Ｄディスカバリリソースプール情報２０４は、ＰＳＢＣＨ内にあるＭＩＢ−ＳＬにおいて送信される。システムのタイミングは、ＰＳＳＳ／ＳＳＳＳの送信によって提供される。例として、Ｄ２Ｄディスカバリリソースプール情報２０４及びＰＳＳＳ／ＳＳＳＳは、同一のサブフレーム内で送信される。状況によっては、Ｄ２Ｄディスカバリリソースプール情報２０４及びＰＳＳＳ／ＳＳＳＳは、異なるサブフレーム内で送信することができる。
【００２４】
ＯｏＣ  Ｄ２Ｄ  ＵＥ装置２１０は、メッセージ１３０におけるＤ２Ｄディスカバリリソースプール情報２０４及びシステムのタイミング２０６を受信し、システムのタイミング２０６及びＤ２Ｄディスカバリリソースプール情報２０４を含むディスカバリリソースプール情報メッセージ２１２において該情報を再送信することができる。Ｄ２Ｄディスカバリリソースプール情報２０４は、ＰＳＢＣＨ内にあるＭＩＢ−ＳＬにおいて送信される。他のデータ及び制御チャンネルを、同一の状況において使用することができる。例えば、ＯｏＣ  ＵＥ装置は、３ＧＰＰ  ＬＴＥ通信仕様の少なくとも１つの改定版に従って、送信されたＤ２Ｄデータチャンネル内のＤ２Ｄディスカバリリソースプールメッセージを受信することによって、Ｄ２Ｄディスカバリリソースプールメッセージを受信することができる。システムのタイミングは、ＰＳＳＳ／ＳＳＳＳの送信によって提供される。例として、Ｄ２Ｄディスカバリリソースプール情報２０４及びＰＳＳＳ／ＳＳＳＳは、同一のサブフレーム内で送信される。状況によっては、Ｄ２Ｄディスカバリリソースプール情報２０４及びＰＳＳＳ／ＳＳＳＳは、異なるサブフレーム内で送信することができる。本明細書における例として、以下を除きディスカバリリソースプール情報メッセージ２１２は、ディスカバリリソースプール情報メッセージ１３０と類似している。それは、ディスカバリリソースプール情報メッセージ１３０がシステムのタイミング２０６がｅＮＢから直接取得されるシステムのタイミングから導出されていることを示し、ディスカバリリソースプール情報メッセージ２１２がシステムのタイミング２０６がｅＮＢから直接取得されていないことを示しているということである。ディスカバリリソースプール情報２０４を受信するそれぞれのＤ２Ｄ  ＵＥ装置２０２、２１０、２１４は、ディスカバリリソースプール情報２０４によって特定されたリソースのセットからリソースを選択し、選択されたリソース及びシステムのタイミング２０６を使用してＤ２ＤＳＳを送信する。
【００２５】
図３は、ディスカバリリソースプール情報メッセージ３００の一例を示すブロック図であり、システムのタイミング２０６及びディスカバリリソースプール情報２０４が同一のサブフレームで送信される。したがって、図３のディスカバリリソースプール情報メッセージ３００は、ディスカバリリソースプール情報メッセージ２１２及びディスカバリリソースプール情報メッセージ１３０に好適なメッセージの一例である。
【００２６】
図３の例では、ＰＳＳＳ３０２及びＳＳＳＳ３０４は、サブフレームの最初と最後で時間周波数リソースを占有している。サブフレームのシンボル時間０から１３のうち、例えば、ＰＳＳＳ３０２は、シンボル時間１及びシンボル時間２を占有してもよいし、ＳＳＳＳ３０４は、シンボル時間１及びシンボル時間２を占有してもよい。ＰＳＢＣＨ３０６は、シンボル時間４からシンボル時間９までのサブフレームにおいて集中している。ＭＩＢ−ＳＬ３０８は、ＰＳＢＣＨ３０６内に分布している。本明細書における例として、Ｄ２Ｄディスカバリリソースプール情報（Ｄ２Ｄ  ＤＲＰＩ）２０４は、ＭＩＢ−ＳＬ−３０８を使用して送信される。状況によっては、他の技術を使用してもよい。
【００２７】
図４は、ＵＥ装置２０２、２１０、２１４としての使用に好適なユーザ機器（ＵＥ）装置３００のブロック図である。ＵＥ装置のそれぞれは、送受信部４０２及び制御部４０４、加えて例えばメモリなど他の構成要素及び回路（図示せず）を備える。送受信部４０２は、送信部４０４及び受信部４０６を含む。送受信部４０２は、基地局に上りリンク無線信号を送信し、基地局から下りリンク無線信号を受信する。送受信部はまた、割り当てられた上りリンク通信リソースを使用して、Ｄ２Ｄ信号を送受信するように構成され得る。制御部４０４は、移動無線通信装置の構成要素を制御して、本明細書に記載される装置の機能を管理し、かつ装置４００の全体的な機能性を高める。制御部４０４は、送受信部４０２及びメモリなどの他の構成要素に接続されている。
【００２８】
図５は、ＯｏＣ  Ｄ２Ｄ  ＵＥ装置において実行されるＤ２ＤＳＳ送信を管理する方法のフローチャートである。したがって、図５の例は、図２におけるＯｏＣ  Ｄ２Ｄ  ＵＥ２１０により実行することができる。
【００２９】
ステップ５０２では、Ｄ２Ｄ  ＵＥ装置２１０は、ＩｎＣ  Ｄ２Ｄ  ＵＥ装置２０２等のカバレッジ内（ＩｎＣ）ＵＥ装置からＤ２ＤＳＳを受信する。Ｄ２ＤＳＳは、ｅＮＢから直接取得したタイミング情報に基づき、プライマリ同期信号（ＰＳＳ）及びｅＮＢ１０２によって送信されたセカンダリ同期信号（ＳＳＳ）のうち少なくとも１つに基づいている。
【００３０】
ステップ５０４では、Ｄ２Ｄ  ＵＥ装置２１０は、ＩｎＣ  ＵＥ装置からＤ２Ｄディスカバリリソースプールメッセージ１３０を受信する。上記のように、Ｄ２Ｄディスカバリリソースプールメッセージ１３０は、Ｄ２Ｄディスカバリ信号の送信のために承認された通信リソースのセットを特定する。リソースのセットは、ｅＮＢ１０２からＩｎＣ  ＵＥ装置で受信されるｅＮＢディスカバリリソースプールメッセージにおいて特定される。例として、Ｄ２ＤＳＳ及びＤ２Ｄディスカバリリソースプール情報は、Ｄ２Ｄディスカバリリソースプールメッセージ１３０における同一のサブフレーム内で送信される。Ｄ２Ｄディスカバリリソースプール情報メッセージ１３０は、タイミング及び／又はＤ２Ｄディスカバリリソースプール情報がｅＮＢから直接取得されたことを示す情報を含んでもよい。
【００３１】
ステップ５０６では、Ｄ２Ｄ  ＵＥ装置２１０は、通信リソースのセットから通信リソースを選択する。本明細書における例として、これらの選択された通信リソースは、通信リソースのセットのサブセットである。
【００３２】
ステップ５０８では、Ｄ２Ｄ  ＵＥ装置２１０は、Ｄ２ＤＳＳから導出されたタイミングを使用して、選択された通信リソースを介してＤ２Ｄディスカバリ信号を送信する。
【００３３】
ステップ５１０では、Ｄ２Ｄ  ＵＥ装置２１０は、ＩｎＣ  Ｄ２Ｄ  ＵＥ装置から受信したＤ２Ｄディスカバリリソースプール情報を再送信する。Ｄ２Ｄ  ＵＥ装置２１０は、通信リソースのセットを特定する他のＤ２Ｄディスカバリリソースプールメッセージ２１２を送信する。
【００３４】
ステップ５１２では、Ｄ２Ｄ  ＵＥ装置２１０は、ＩｎＣ  Ｄ２Ｄ  ＵＥ装置から受信したシステムのタイミングを再送信する。Ｄ２Ｄ  ＵＥ装置２１０は、他のＤ２ＤＳＳを送信する。該他のＤ２ＤＳＳは、ＩｎＣ  ＵＥ装置から受信したＤ２ＤＳＳから取得したタイミング情報に基づいている。例として、Ｄ２ＤＳＳ及びＤ２Ｄディスカバリリソースプール情報は、Ｄ２Ｄディスカバリリソースプールメッセージ２１２において同一のサブフレーム内で送信される。Ｄ２Ｄディスカバリリソースプール情報メッセージは、タイミング及び／又はＤ２Ｄディスカバリリソースプール情報がｅＮＢから直接取得されなかったことを示す情報を含んでもよい。状況によっては、ステップ５１０及び５１２は、省略されてもよい。
【００３５】
当業者であれば、これらの教示に照らして、本発明の他の実施形態及び変更形態を容易に実施し得ることは明白である。上記の説明は、例示的なものであり、限定的なものではない。本発明は、特許請求の範囲によってのみ限定されるべきものであり、特許請求の範囲には、上述の詳細及び添付の図面を組み合わせて考慮した場合の、あらゆる実施形態及び変更形態が含まれる。したがって、本発明の範囲は、上記の説明を参照して判定されるのではなく、均等物の全範囲とともに、添付される請求の範囲を参照して判定されるべきである。
【図１】
0006434166.tif 000002
【図２】
0006434166.tif 000003
【図３】
0006434166.tif 000004
【図４】
0006434166.tif 000005
【図５】
0006434166.tif 000006